(57)【要約】【課題】外筒と、外筒の内部に配されるランプと、外筒の背面に設けられる反射鏡とを備えた監視装置用投光器。外筒の内部には、相互に平行な複数の遮光板が設けられ、ランプからの直射光の遮光板に垂直な方向の光束幅を制限するようになっている。これにより、簡易な構成で誤動作のない監視装置及び該装置用投光器を提供する。【解決手段】外筒１２と、外筒の内部に配されるランプ１４と、外筒の背面に設けられる反射鏡１６とを備えた監視装置用投光器１０。外筒１２の内部には、相互に平行な複数の遮光板１８が設けられ、ランプ１４からの直射光の遮光板に垂直な方向の光束幅を制限するようになっている。【選択図】  図１
2004227916.tif 000002
【特許請求の範囲】
【請求項１】
外筒と、該外筒の内部に配されるランプと、該外筒の背面に設けられる反射鏡とを備えた監視装置用投光器において、
前記外筒の内部には、相互に平行な複数の遮光板が設けられ、前記ランプからの直射光の前記遮光板に垂直な方向の光束幅を制限するようになっていることを特徴とする監視装置用投光器。
【請求項２】
監視カメラと、投光器と、近接センサとを備えた監視装置において、
前記投光器は、外筒と、該外筒の内部に配されるランプと、該外筒の背面に設けられる反射鏡とを備え、前記外筒の内部には、相互に平行な複数の遮光板が設けられ、前記ランプからの直射光の前記遮光板に垂直な方向の光束幅を制限するようになっているとともに、前記監視カメラの視野部分を照明するように配されており、
前記近接センサの検知により前記投光器の投光の制御が行われることを特徴とする監視装置。
【請求項３】
夜間において、前記投光器は通常は非投光状態となっており、前記近接センサが近接物体を検知したときのみ投光状態に切り換えられるように制御が行われる請求項２に記載の監視装置。
【発明の詳細な説明】
【０００１】
【発明の属する技術分野】
本発明は監視装置及び該装置用投光器に係り、特に簡易な構成で誤動作のない監視装置及び該装置用投光器に関する。
【０００２】
【従来の技術】
近年、盗難件数の増加に対応すべく、各種の監視装置が普及しつつある。このような監視装置のうち、夜間の防犯に備えたものは、監視カメラと、投光器等を備えた構成のものが一般的である。
【０００３】
すなわち、侵入者の侵入予想経路を監視すべく、監視カメラとこのカメラの視野内の照明のための投光器が設けられており、屋内の制御装置等の端末で監視できるようになっている。
【０００４】
ところが、夜間に常時投光器による照明をした場合、電気料金が相当の額になり不経済であるという指摘もある。特に、監視装置と監視カメラの視野部分（侵入者の侵入予想経路）との距離が離れている場合には、投光器の出力を大きくする必要があり、消費電力が多くなる。このため、必要な状態になったときのみ投光器による照明を行うことが考えられる。
【０００５】
このような監視装置として、各種の工夫が施されたものが提案されており、たとえば、侵入者が起こした炎を検出して投光器による照明を行う構成のものが提案されている（特許文献１参照。）。
【０００６】
また、たとえば、監視装置の設置位置である家屋等の近傍に、人体の熱を検知できる熱線センサ等の近接センサを設け、これで侵入者を検知したときのみ、投光器による照明を行う構成のものも考えられる。
【０００７】
【特許文献１】
特開平７−２４４７１８号公報
【０００８】
【発明が解決しようとする課題】
しかしながら、このような監視装置に通常の投光器を使用した場合に、投光器の照明により近接センサが誤動作をしてしまうという問題点が指摘されている。投光器の前に熱線カットフィルタを取り付けることも考えられるが、大光量のランプの場合、フィルタが熱を吸収して高温になり、割れるなどの破損が発生し危険であるため、熱線が出射されるランプを用いることは避けられない。
【０００９】
また、現在監視カメラで使用されている多くのＣＣＤは、その特性として近赤外線（波長が７００〜１５００ｎｍ）までの感度をもっていることから、侵入者に気づかれずに撮影するように近赤外線を出射する投光器も用いられているが、その場合でも、光量が多いほど熱線も多く放出され、熱線センサの誤動作を招きやすい。
【００１０】
したがって、投光器と熱線センサとを用いた場合に、投光器からの出射光が熱線センサに入射してしまうと、侵入者が来たと勘違いし、投光器が発光したままの状態になり、熱線センサを用いる意味がなくなってしまう。
【００１１】
図４は、この現象を説明する概略断面図である。同図において、投光器１の光源であるランプ２から照射される光は、反射鏡３で反射されて前方へ照射される。たとえば、同図に示されるように、反射鏡３が２次曲面のパラボラ状であり、ランプ２がこの焦点に配される場合には、反射鏡３で反射されて前方へ照射される光束４は、平行な光束となる。なお、ランプ２は説明の便宜のため、点で示してある。
【００１２】
ところが、ランプ２から照射される一部の光は、反射鏡３で反射されずに、直接前方へ照射される光束５となる。この光束５は、指向性がなく、反射鏡３の開口部より前方へ照射される。
【００１３】
図５は同様の現象を説明する概略図である。投光器１から前方へ照射される設計された光束４の外側部分に、指向性がないランプからの直射光の光束５が生じている。したがって、このような光束５によって、近接センサが誤動作をしてしまう可能性が高い。
【００１４】
本発明は、このような事情に鑑みてなされたもので、簡易な構成で誤動作のない監視装置及び該装置用投光器を提供することを目的とする。
【００１５】
【課題を解決するための手段】
本発明は、前記目的を達成するために、外筒と、該外筒の内部に配されるランプと、該外筒の背面に設けられる反射鏡とを備えた監視装置用投光器において、前記外筒の内部には、相互に平行な複数の遮光板が設けられ、前記ランプからの直射光の前記遮光板に垂直な方向の光束幅を制限するようになっていることを特徴とする監視装置用投光器を提供する。
【００１６】
また、本発明は、監視カメラと、投光器と、近接センサとを備えた監視装置において、前記投光器は、外筒と、該外筒の内部に配されるランプと、該外筒の背面に設けられる反射鏡とを備え、前記外筒の内部には、相互に平行な複数の遮光板が設けられ、前記ランプからの直射光の前記遮光板に垂直な方向の光束幅を制限するようになっているとともに、前記監視カメラの視野部分を照明するように配されており、前記近接センサの検知により前記投光器の投光の制御が行われることを特徴とする監視装置を提供する。
【００１７】
本発明によれば、投光器の外筒の内部には、相互に平行な複数の遮光板が設けられており、光源であるランプからの直射光の遮光板に垂直な方向の光束幅を制限するようになっている。したがって、直射光の光束も指向性を有することとなり、近接センサの誤動作を防ぐことができる。
【００１８】
なお、「ランプからの直射光」とは、既述のように、投光器の反射鏡で反射されずに、直接前方へ照射される光を指す。また、「監視カメラの視野部分」とは、監視カメラによって監視しようとする、侵入者の侵入予想経路等の視野部分を指す。
【００１９】
本発明において、夜間において、前記投光器は通常は非投光状態となっており、前記近接センサが近接物体を検知したときのみ投光状態に切り換えられるように制御が行われることが好ましい。このように、夜間に投光器が非投光状態となっており、近接センサが近接物体を検知したときのみ投光状態に切り換えられるように制御されれば、消費電力を最小とでき、省コスト、省エネルギーに寄与できる。
【００２０】
なお、「夜間において」とは、必ずしも太陽の運行に従った夜間のみならず、照明が必要となる状態をも広く含む意である。
【００２１】
【発明の実施の形態】
以下、添付図面に従って、本発明に係る監視装置及び該装置用投光器の好ましい実施の形態について詳説する。図１は、本発明に係る監視装置用投光器の外観構成を示す斜視図である。図２は、同じく正面図である。同図に示されるように、この投光器１０は、外筒１２と、外筒１２の内部に配されるランプ１４と、外筒１２の背面に設けられる反射鏡１６とを備えている。
【００２２】
すなわち、この投光器１０は、図４の概略断面図で示される投光器１と同様に、反射鏡１６で反射されて前方へ照射される光束が、設計の光束となるような投光器であり、前面に集光レンズを備えているタイプの投光器とは相違する。なお、この投光器１０において、前面に集光レンズを設けてもよい。
【００２３】
外筒１２は、所定の耐熱性を有し、防錆性に優れた金属材料や樹脂材料で形成できる。外筒１２の口径、長さ、板厚等はランプ１４の定格、監視カメラ３２（図６参照）の視野部分のサイズ等に応じて任意の値が採用できる。
【００２４】
ランプ１４としては、各種の照明手段が採用でき、たとえば、ハロゲンランプ、水銀燈等が採用できる。
【００２５】
反射鏡１６は、投光器１０の設計光束に応じて任意の形状のものが採用でき、たとえば、２次曲面のパラボラ状が採用できる。反射鏡１６の材質としては、所定の耐熱性を有し、防錆性に優れた金属材料等が採用できる。反射鏡１６の反射面は、所定以上の反射率を有することが効率の点で好ましく、たとえば、アルミニウム等を蒸着等により形成する構成が採用できる。
【００２６】
なお、必要に応じて外筒１２及び／又は反射鏡１６の外面に放熱部（放熱フィン）を形成してもよい。
【００２７】
以上で説明した構成は、従来から使用されている投光器１０にも採用されている構成である。本発明に係る監視装置用投光器１０は、これに加えて遮光板１８、１８…が設けられる。
【００２８】
すなわち、外筒１２の内部には、相互に平行な複数の遮光板１８、１８…が設けられ、ランプ１４からの直射光の遮光板１８に垂直な方向の光束幅を制限するようになっている。
【００２９】
たとえば、図４に示されるような、反射鏡３で反射されずに、直接前方へ照射される指向性がない光束５があったとしても、複数の遮光板１８、１８…で遮られ、投光器１０の設計光束のみが前方へ照射されることとなる。これにより、直射光の光束も指向性を有することとなり、近接センサの誤動作を防ぐことができる。
【００３０】
遮光板１８の材質としては、所定の耐熱性を有し、防錆性に優れた金属材料や樹脂材料等で形成できる。また、遮光板１８は、複数回の反射を繰り返し、迷光、すなわち設計光束より外れた光となることを防止する意味より、光吸収性の高い構成、たとえば、艶消しの黒とする構成、植毛の構成等であることが好ましい。遮光板１８の板厚は、反射鏡１６で反射された光束の遮光を極力少なくすることが好ましいことより、強度が確保できる範囲で薄くすることが好ましい。
【００３１】
遮光板１８の図１、図２における上下方向の長さは、外筒１２の内周に達する長さ（図２の構成）とするのが効果の点で好ましい。遮光板１８の図１における前後方向の幅及び配設枚数は、外筒１２の口径、長さ、ランプ１４の定格、ランプ１４の配設位置、反射鏡１６の形状、監視カメラ３２（図６参照）の視野部分のサイズ等に応じて任意の値が採用できる。迷光を防ぐという遮光板１８の効果の点では、幅を大きくし、配設枚数を増やす構成が好ましいが、設計光束の遮光を極力少なくする点では配設枚数を適度に制限する必要がある。
【００３２】
図３は、本発明に係る投光器１０の投光の状態を示した概略図であり、従来例を示す図５に対応するものである。図１、図２と異なり、左右図３の投光器１０では、遮光板１８が左右方向に向いて設けられており、上下方向の光束４において、図５に示される指向性がない光束５は生じていない。なお、左右方向の光束の図示は省略してある。
【００３３】
次に、本発明に係る監視装置の好ましい実施の形態について図６及び図７にしたがって詳説する。図６は、本発明に係る監視装置の概略図であり、図７は、構成図である。
【００３４】
家屋４０の外壁４２の上部には、監視装置３０の投光器１０及び監視カメラ３２が設置されており、外壁４２の下部には、近接センサ３４が設置されている。投光器１０は、監視カメラ３２の視野部分を照明するように配されており、また、近接センサ３４の検知により投光器１０の投光の制御が行われるように構成されている。
【００３５】
すなわち、侵入者の侵入予想経路を監視すべく、監視カメラ３２とこのカメラの視野内の照明のための投光器１０が設けられており、屋内の制御装置２４（後述）のモニタ３６で監視できるようになっている。
【００３６】
特に、夜間において、投光器１０は通常は非投光状態となっており、近接センサ３４が近接物体（侵入者等）を検知したときのみ投光状態に切り換えられるように制御が行われるように構成されている。
【００３７】
すなわち、夜間に常時投光器による照明をした場合、電気料金が相当の額になり不経済であり、特に、監視装置３０と監視カメラ３２の視野部分（侵入者の侵入予想経路）との距離が離れている場合には、投光器１０の出力を大きくする必要があり、消費電力が多くなるため、必要な状態になったときのみ投光器１０による照明を行う構成となっている。具体的には、家屋４０の外壁４２の下部に人体の熱を検知できる熱線センサ等の近接センサ３４を設け、これで侵入者を検知したときのみ、投光器１０による照明を行う構成となっている。
【００３８】
この際、投光器１０の迷光を遮断する作用により、投光器１０からの光で近接センサ３４が誤動作することはなく、監視装置３０の信頼性は高い。
【００３９】
図７において、監視装置３０は、装置全体の制御を行う制御装置２４（ＣＰＵを主体とする）と、既述の投光器１０と、投光器１０と制御装置２４との中間に配され、制御装置２４の指示により投光器１０のＯＮ−ＯＦＦ制御、光量等の制御を行うランプ電源ユニット２２と、既述の監視カメラ３２と、既述の近接センサ３４と、近接センサ３４と制御装置２４との中間に配され、近接センサ３４の信号を増幅して制御装置２４に送るセンサアンプ２６と、制御装置２４に接続され、監視カメラ３２のモニタ画像を表示したり、制御画面を表示するモニタ３６とで構成される。
【００４０】
このうち、監視カメラ３２としては、一般的なビデオカメラが好ましく採用できるが、これ以外の撮像手段、たとえば、デジタルカメラ等も採用できる。近接センサ３４としては、人体の熱を検知できる熱線センサが好ましく採用できるが、これ以外の各種センサも採用できる。また、発光手段と、これと離れた位置に設けられる受光手段との一対の組み合わせであって、両手段間の光束を横切ることにより侵入者を検知する手段（センサ）も採用できる。
【００４１】
他の各構成部材は、いずれも公知の部材であることより、詳細な説明は省略する。
【００４２】
以上、本発明に係る監視装置及び該装置用投光器の実施形態の例について説明したが、本発明は上記実施形態の例に限定されるものではなく、各種の態様が採り得る。
【００４３】
たとえば、本実施形態の例では、投光器１０の垂直な方向に、相互に平行な複数の遮光板１８、１８…が設けられているが、更に、投光器１０の水平な方向に、相互に平行な複数の遮光板を追加してもよい。すなわち、図２の正面図において、いわゆる格子状の配置となる遮光板の構成である。これにより、左右方向の迷光のみならず、上下方向の迷光をも抑制できる。
【００４４】
また、図７においては、監視装置としての最低限の構成を示したが、他の構成部材、たとえば、集音マイク等の検知手段を加え、これにより監視機能を向上させる構成等も任意に採用できる。
【００４５】
【発明の効果】
以上説明したように、本発明によれば、投光器の外筒の内部には、相互に平行な複数の遮光板が設けられており、光源であるランプからの直射光の遮光板に垂直な方向の光束幅を制限するようになっている。したがって、直射光の光束も指向性を有することとなり、近接センサの誤動作を防ぐことができる。
【図面の簡単な説明】
【図１】本発明に係る投光器の外観構成を示す斜視図
【図２】同じく正面図
【図３】本発明に係る投光器の投光の状態を示した概略図
【図４】投光器の投光の状態を示した概略断面図
【図５】従来の投光器の投光の状態を示した概略図
【図６】本発明に係る監視装置の概略図
【図７】本発明に係る監視装置の構成図
【符号の説明】
１０…投光器、１２…外筒、１４…ランプ、１６…反射鏡、１８…遮光板、２２…ランプ電源ユニット、２４…制御装置、２６…センサアンプ、３０…監視装置、３２…監視カメラ、３４…近接センサ、３６…モニタ
【図１】
2004227916.tif 000003
【図２】
2004227916.tif 000004
【図３】
2004227916.tif 000005
【図４】
2004227916.tif 000006
【図５】
2004227916.tif 000007
【図６】
2004227916.tif 000008
【図７】
2004227916.tif 000009